(57)【要約】【課題】ソーラーウオールを用いて生成した暖気を蓄熱させて、夜間の暖房、あるいは暖房の補助に用いることができるシステムを提供すること。【解決手段】建築物１本体の壁１０面に、多数の小さな孔が開けられた鋼板、アルミ板２２、ガラス板２１のいずれか１つ以上から選ばれてなる太陽熱集熱外壁板２（ソーラーウオール）が取付けられて、蓄熱用空間の床下土間空間８との間を連通させ集熱通気構造を形成し、該連通部にファン２３が取付けられている。【選択図】図１
2005024139.tif 000002
【特許請求の範囲】
【請求項１】
建築物本体の壁面に、多数の小さな孔が開けられた鋼板、アルミ板、ガラス板のいずれか１つ以上から選ばれてなる太陽熱集熱外壁板（ソーラーウオール）が取付けられて、蓄熱用空間の床下土間空間との間を連通させ集熱通気構造を形成し、該連通部にファンが取付けられたことを特徴とするソーラーウォールシステム。
【請求項２】
請求項１に記載の蓄熱用空間の床下土間空間は、密閉されたコンクリートのべた基礎であることを特徴とするソーラーウォールシステム。
【請求項３】
請求項１又は２に蓄熱用空間の床下土間空間は、昼間ソーラーウオールにて暖められた空気が基礎に蓄熱され、夜間基礎に蓄熱された熱が床下あるいは放熱器から放熱されて温められることを特徴とするソーラーウォールシステム。
【発明の詳細な説明】
【０００１】
【発明の属する技術分野】
この発明は、夜間の室内の暖房等に利用するソーラーウオールシステムに関するものである。
【０００２】
【従来の技術】
この種の太陽熱を利用した空調、蓄熱システムとしては、例えば太陽熱を利用した集熱パネルを用いた暖房、断熱手段であって、ユニット化することによって組み付け作業を効率化でき、しかも室内に設けた空調機等との連係利用が可能であり、太陽光を効率よく受光して集熱効率を高めることができ、更に外壁との間に設けた空所内に種々の備品等を配置することができるようにした太陽熱利用空調ユニットがある。（特許文献１参照）。あるいは、建築物の外壁に外装支持具を支持体として取付け、この支持体の外面に、多数の小さな孔が設けられた鋼板、アルミ板、ガラス板のいずれか１つから選ばれて成る集熱板を取付けて前記壁体面との間に集熱通気構造を形成し、該集熱通気構造にファン及びダクトを接続するように設けたソーラーウオールシステムがある。（特許文献２参照）。
【０００３】
【特許文献１】
特開２０００−２４１０３１号公報
【特許文献２】
特許第３３５２０５６号公報
【０００４】
【発明が解決しようとする課題】
しかしながら、特許文献１では、冬期においては太陽熱を集熱パネルで暖められた空気を用いて暖房したり、夏期においては太陽光により過熱される外壁を遮断、断熱して冷房負荷を軽減させるものであるが、得られた暖気を蓄熱して夜間の暖房に有効利用するシステムではない。
また、特許文献２では、室内への給気など昼間の暖房に用いるためのソーラーウオールシステムであり、夜間の為の暖房に有効利用するシステムではない。
そこで、この発明の目的は、ソーラーウオールを用いて生成した暖気を蓄熱させて、夜間の暖房、あるいは暖房の補助に用いることができるシステムを提供することにある。
【０００５】
【課題を解決するための手段】
この目的を達成するため、請求項１の発明は、建築物本体の壁面に、多数の小さな孔が開けられた鋼板、アルミ板、ガラス板のいずれか１つ以上から選ばれてなる太陽熱集熱外壁板（ソーラーウオール）が取付けられて、蓄熱用空間の床下土間空間との間を連通させ集熱通気構造を形成し、該連通部にファンが取付けられたことを特徴とするソーラーウォールシステムである。
【０００６】
この請求項１によれば、太陽熱集熱外壁板で温度が上昇させられた空気はファンにより蓄熱用空間の床下土間空間に送られ、蓄熱用空間内の空気の温度が上昇させられる。この温度が上昇させられた空気により床下のコンクリート等の蓄熱材が加熱されて、蓄熱材に熱が蓄積される。これにより床下から建物内の暖房が昼間だけでなく夜間も有効に行われる。
【０００７】
また、請求項２の発明は、請求項１に記載の蓄熱用空間の床下土間空間は、密閉されたコンクリートのべた基礎であることを特徴とするソーラーウォールシステムである。
【０００８】
この請求項２によれば、蓄熱用空間の床下土間空間は、密閉されたコンクリートのべた基礎であるので、蓄熱容量も大きく、また密閉されているので熱ロスも少なく蓄熱され、床下からの暖房に有効に利用される。
【０００９】
更に、請求項３の発明は、請求項１又は２に記載の蓄熱用空間の床下土間空間は、昼間ソーラーウオールにて暖められた空気が基礎に蓄熱され、夜間基礎に蓄熱された熱が床下あるいは放熱器から放熱されて温められることを特徴とするソーラーウォールシステムである。
【００１０】
この、請求項３によれば、請求項２と同様な作用効果が得られると共に、放熱器等を利用することにより、床下暖房効果だけでなく部屋全体の暖房に有効に利用することができる。
【００１１】
【発明の実施の形態１】
次に、この発明の実施の形態を図面に基づいて説明する。図１（イ）は昼間のソーラーウオールシステムを設置した建物の断面図、（ロ）は夜間のソーラーウオールシステムを設置した建物の断面図、（ハ）は（イ）図Ａ部の詳細断面図、（二）は（ハ）図Ｂ部の詳細断面図である。
［構成］
図１（イ）において、１は住宅等の２階建ての建物、２は太陽熱集熱外壁板（ソーラーウオール）、３はコンクリートのべた基礎からなる基礎断熱床下土間である。この建物１は、１階の居室４，居室４の床６，２階の居室５、居室５の床７、床下土間空間８、屋根９、壁部１０等の構造部を有する。
【００１２】
この様な建物は、例えば、ブロック状の建物ユニットを複数組み合わせることにより構築したユニット式建物であっても良いし、ユニット式建物以外の住宅でもよい。本実施例では、建物１がユニット式建物である場合について説明する。図１では、ブロック状の複数の建物ユニットを水平方向及び上下方向に配設することで、２階建ての建物１の躯体（図示せず）が構造部の一部として構成され、この躯体に上述した床６，７，天井、外壁，内壁，屋根９等の構造部を組み付けることにより、建物１が構築される。尚、この様な建物ユニットやユニット式建物の構成は周知であるのでその具体的な図示は省略する。
【００１３】
この様な建物１の壁部１０には、南側（建物の方向によっては東〜南〜西の適宜の側）に太陽熱集熱外壁板（ソーラーウオール）２が取り付けられている。また、基礎断熱床下土間３と床６との間には蓄熱用空間（床下内空間）８が形成されている。そして、太陽熱集熱外壁板（ソーラーウオール）２は図１（ハ）に示すように、最外層部がガラス板２１であり、第２層が図１（ニ）に示すように小孔２２１が多数開いたアルミ板２２で構成されている。太陽熱集熱外壁板（ソーラーウオール）２は蓄熱用空間（床下内空間）８と連通しており、連通部にファン２３が取り付けられている。
【００１４】
［作用］
次に、この様な構成のソーラーウオールシステムの作用を説明する。
【００１５】
この様な構成においては、日中は太陽熱により太陽熱集熱外壁板（ソーラーウオール）２内の空気が加熱されて温度が上昇する。この状態でファン２３を作動させると、太陽熱集熱外壁板（ソーラーウオール）２内で加熱された空気が、ファン２３により蓄熱用空間（床下内空間）８に供給される。そして、加熱された空気が蓄熱材であるコンクリートのべた基礎３に吹き付けられ加熱される。これによりコンクリートのべた基礎３に熱が蓄積される。
【００１６】
そして、夜間には、コンクリートのべた基礎３に蓄積された熱が床下６から放熱され居室４内の暖房（補助）として利用される。これにより暖房機器の負荷が軽減される。
上述した実施例では、冬季の暖房の例を示したが、夏季の太陽熱集熱外壁板（ソーラーウオール）２を日射熱遮蔽板として使用することにより、建物１内の冷房効率を向上することができる。
【００１７】
【発明の実施の形態２】
図２は、発明の実施の形態２を示したものである。
図２（イ）はソーラーウオールシステムに放熱器を設置した建物の断面図、（ロ）は放熱器の拡大断面図である。
この実施の形態では図１の居室４内に図２に示すように放熱器１１を設けた構成としている。この放熱器１１は蓄熱用空間（床下内空間）８と連通しておりファン１２が内蔵されている。尚、他の構成は発明の実施の形態１と同じであるので、その説明は省略する。
【００１８】
［作用］
次に、この様な構成のソーラーウオールシステムの作用を説明する。
【００１９】
この様な構成においては、日中は太陽熱によりコンクリートのべた基礎３に熱が蓄積される機構は発明の実施の形態１と同じであるので、その説明は省略する。
【００２０】
そして、夜間には、コンクリートのべた基礎３に蓄積された熱が放熱器１１内のファン１２を稼動させて蓄熱用空間（床下内空間）８の暖気を居室４内に放出する。また、床下６からも放熱され居室４内の暖房（補助）として利用される。これにより暖房機器の負荷が軽減される。
上述した実施例では、冬季の暖房の例を示したが、夏季の太陽熱集熱外壁板（ソーラーウオール）２を日射熱遮蔽板として使用することにより、建物１内の冷房効率を向上することができる。
【００２１】
【発明の効果】
以上説明したように、この請求項１によれば、太陽熱集熱外壁板で温度が上昇させられた空気はファンにより蓄熱用空間の床下土間空間に送られ、蓄熱用空間内の空気の温度が上昇させられる。この温度が上昇させられた空気により床下のコンクリート等の蓄熱材が加熱されて、蓄熱材に熱が蓄積される。これにより床下から建物内の暖房が昼間だけでなく夜間も有効に行われる。
【００２２】
また、請求項２によれば、蓄熱用空間の床下土間空間は、密閉されたコンクリートのべた基礎であるので、蓄熱容量も大きく、また密閉されているので熱ロスも少なく蓄熱され、床下からの暖房に有効に利用される。
【００２３】
更に、請求項３によれば、請求項２と同様な作用効果が得られると共に、放熱器等を利用することにより、床下暖房効果だけでなく部屋全体の暖房に有効に利用することができる。
【図面の簡単な説明】
【図１】（イ）は昼間のソーラーウオールシステムを設置した建物の断面図、（ロ）は夜間のソーラーウオールシステムを設置した建物の断面図、（ハ）は（イ）図Ａ部の詳細断面図、（二）は（ハ）図Ｂ部の詳細断面図である。
【図２】（イ）はソーラーウオールシステムに放熱器を設置した建物の断面図、（ロ）は放熱器の拡大断面図である。
【符号の説明】
１・・・建物
２・・・太陽熱集熱外壁板（ソーラーウオール）
３・・・基礎断熱床下土間
４，５・・・居室
６，７・・・床（構造部）
８・・・蓄熱用空間（床下内空間）
９・・・屋根
１０・・・壁部
１１・・・放熱器
【図１】
2005024139.tif 000003
【図２】
2005024139.tif 000004